(57)【要約】【課題】  ローラーを傷めることなく、且つ、一度の動作でローラーを洗浄することが可能なローラーの洗浄具を提供する。【解決手段】  ローラーバケのローラーを洗浄するものであり、円形の内部空間を囲む外縁を有し、外縁の内径は、ローラーを内側に圧縮した場合のローラーの最小直径以上であり、且つ、ローラーを圧縮しない状態のローラーの最大直径未満である。  外縁の内径から外径までの長さは、ペンキの逆流を防止するため最小直径と最大直径との差よりも長く形成する。  外縁は、内部空間と外縁の外部空間とを結ぶ通路を有する。通路は、ローラーバケのグリップとローラーとを連結する連結ワイヤーを通過させることにより、連結ワイヤーを内部空間から外縁の外側に移動させることができる。【選択図】図１
2019076878.tif 000002
【特許請求の範囲】
【請求項１】
ローラーバケのローラーを洗浄するものであり、
円形の内部空間を囲む外縁を有し、
前記外縁の内径は、
前記ローラーを内側に圧縮した場合の前記ローラーの最小直径以上であり、且つ、前記ローラーを圧縮しない状態の前記ローラーの最大直径未満である
ことを特徴とするローラーの洗浄具。
【請求項２】
前記ローラーを前記内部空間に挿入した際、
前記外縁の外周または外辺は、
圧縮されていない状態の前記ローラーの外周よりも外側に位置する
ことを特徴とする請求項１記載のローラーの洗浄具。
【請求項３】
前記外縁は、
前記内部空間と前記外縁の外部空間とを結ぶ通路を有し、
前記通路は、前記ローラーバケのグリップと前記ローラーとを連結する連結部材を通過させることにより、前記連結部材を前記内部空間から前記外縁の外側に移動させるためのものである
ことを特徴とする請求項１記載のローラーの洗浄具。
【請求項４】
前記通路は、前記連結部材の幅より広く形成されている
ことを特徴とする請求項３記載のローラーの洗浄具。
【請求項５】
前記通路は、前記外縁を保持するための外縁用グリップの近傍に位置する
ことを特徴とする請求項４記載のローラーの洗浄具。
【請求項６】
前記通路は、前記外縁を保持するための外縁用グリップから最も遠い前記外縁の先端部近傍に位置する
ことを特徴とする請求項４記載のローラーの洗浄具。
【請求項７】
前記外縁は前記ローラーの一方端部から他方端部の方向に進行することにより前記ローラーを洗浄するものであり、
前記通路は、前記進行方向に対し斜めに形成されている
ことを特徴とする請求項４記載のローラーの洗浄具。
【請求項８】
前記外縁は前記ローラーの一方端部から他方端部の方向に進行することにより前記ローラーを洗浄するものであり、
前記外縁は、前記塗料を前記外縁の進行方向または前記ローラーの外側に返すための返し部を有する
ことを特徴とする請求項１記載のローラーの洗浄具。
【請求項９】
前記外縁は前記ローラーを前記内部空間に誘導するための漏斗状の誘導部材を備えることを特徴とする請求項１記載のローラーの洗浄具。
【請求項１０】
前記外縁は可動部材を有し、
前記通路は前記可動部材を可動させることにより作られる
ことを特徴とする請求項４記載のローラーの洗浄具。
【請求項１１】
ローラーバケのローラーを洗浄するものであり、
ほぼ円形の内部空間、または、６以上の角を有する多角形の内部空間を囲む外縁を有し、
前記外縁の最小内径は、
前記ローラーを内側に圧縮した場合の前記ローラーの最小直径以上であり、且つ、前記ローラーを圧縮しない状態の前記ローラーの最大直径未満である
ことを特徴とするローラーの洗浄具。
【請求項１２】
ローラーバケのローラーを洗浄するものであり、
円形の内部空間を囲む外縁を有し、
前記外縁は、
前記内部空間と前記外縁の外部空間とを結ぶ通路を備える
ことを特徴とするローラーの洗浄具。
【請求項１３】
塗料の塗布手段が備える塗料を浸透させるための浸透部材を洗浄するものであり、
円形の内部空間を囲む外縁を有し、
前記外縁の内径は、
前記浸透部材を内側に圧縮した場合の前記浸透部材の最小直径以上であり、且つ、前記浸透部材を圧縮しない状態の前記浸透部材の最大直径未満である
ことを特徴とする浸透部材の洗浄具。
【請求項１４】
内部空間を囲む外縁を有する洗浄具の前記内部空間に、ローラバケのローラーを挿入することにより前記ローラーを洗浄する方法であり、
前記外縁の内径は、
前記ローラーを内側に圧縮した場合の前記ローラーの最小直径以上であり、且つ、前記ローラーを圧縮しない状態の前記ローラーの最大直径未満であることを特徴とするローラーの洗浄方法。
【発明の詳細な説明】
【技術分野】
【０００１】  本発明は、ペンキ等を塗る際に使用されるローラーを清掃するための用具に関する。
【背景技術】
【０００２】  ペンキを壁等に塗布する際には、図７（ａ）（ｂ）のような塗布手段（ローラーバケ８１）が使用されている。
図７（ａ）はローラーバケ８１の上面図であり、図７（ｂ）はローラーバケ８１の側面図である。
ローラーバケ８１は、ローラーハンドル８２とローラー８３とからなる。
ローラーハンドル８２は、グリップ８４と、円柱状の芯８５と、グリップ８４と芯８５とを連結する連結部材（連結ワイヤー８６）とからなる。
ローラー８３は、芯８５をカバーする円筒状の部材であり、スポンジや繊維糸などで形成されている。
ペンキ等の塗料を塗布する際は、ローラー８３にペンキを浸透させ、壁等にローラー８３を回転させながらペンキを塗る。【０００３】  ペンキの塗布作業が終了したら、ローラー８３に浸透したペンキを除去し、ローラーバケ８１を清掃する。ペンキを除去するには、図７（ｃ）および（ｄ）に示すヘラ９１を使用する。
図７（ｃ）はヘラ９１の正面図であり、図７（ｄ）はヘラ９１の側面図である。このヘラ９１は市販されている一般的なものであり、ヘラ９１のグリップ９２と平面の板材９３とからなる。
図８は、ローラー８３に浸透したペンキをヘラ９１で除去・清掃する方法を示した図であり、図８（ａ）はローラーバケ８１とヘラ９１との関係を示した正面図であり、図８（ｂ）はその側面図である。
この方法は、板材９３の先端をローラー８３に押し付けたまま、ヘラ９１をローラー８３の一方端部から他方端部に移動させる。これにより、ローラー８３に浸透したペンキがこそぎ落とされる。この動作をローラー８３の外周方向に移動しながら何度も行えば、ローラー８３からペンキが除去され、ローラーバケ８１を清掃できる。
【先行技術文献】
【特許文献】
【０００４】
【特許文献１】特開２０１７−２３９０７号
【発明の概要】
【発明が解決しようとする課題】
【０００５】  上記の通り、ヘラ９１を利用すればローラー８３に浸透したペンキを除去することができる。
しかし、ローラー８３はスポンジや繊維糸などの比較的弱い素材で形成されているため、ヘラ９１で何度もペンキをえぐるようにこそげ落としていると、ローラー８３に傷がついたり破損してしまう等の問題があった。
また、ヘラ９１を使用した場合、一度の動作ではローラー８３の一側面しか洗浄できない。すなわち、筒状のローラー８３に対し、ヘラ９１を外周方向にずらしながら何度もペンキをこそぎ落とす動作をしないとローラー８３全体を洗浄できなかったのである。【０００６】  本発明は、このような課題を解決するためのものであり、ローラーを傷めることなく、且つ、一度の動作でローラーを洗浄することが可能なローラーの洗浄具を提供するものである。
【課題を解決するための手段】
【０００７】  上記問題を解決するため、本発明では、以下の洗浄具や洗浄方法が提供される。
（１）ローラーバケのローラーを洗浄するものであり、円形の内部空間を囲む外縁を有し、前記外縁の内径は、前記ローラーを内側に圧縮した場合の前記ローラーの最小直径以上であり、且つ、前記ローラーを圧縮しない状態の前記ローラーの最大直径未満である。
（２）前記ローラーを前記内部空間に挿入した際、前記外縁の外周または外辺は、圧縮されていない状態の前記ローラーの外周よりも外側に位置する。
（３）前記外縁は、前記内部空間と前記外縁の外部空間とを結ぶ通路を有し、前記通路は、前記ローラーバケのグリップと前記ローラーとを連結する連結部材を通過させることにより、前記連結部材を前記内部空間から前記外縁の外側に移動させるためのものである。
（４）前記通路は、前記連結部材の幅より広く形成されている。
（５）前記通路は、前記外縁を保持するための外縁用グリップの近傍に位置する。
（６）前記通路は、前記外縁を保持するための外縁用グリップから最も遠い前記外縁の先端部近傍に位置する。
（７）前記外縁は前記ローラーの一方端部から他方端部の方向に進行することにより前記ローラーを洗浄するものであり、前記通路は、前記進行方向に対し斜めに形成されている。
（８）前記外縁は前記ローラーの一方端部から他方端部の方向に進行することにより前記ローラーを洗浄するものであり、前記外縁は、前記塗料を前記外縁の進行方向または前記ローラーの外側に返すための返し部を有する。
（９）前記外縁は前記ローラーを前記内部空間に誘導するための漏斗状の誘導部材を備える。
（１０）前記外縁は可動部材を有し、前記通路は前記可動部材を可動させることにより作られる。
（１１）ローラーバケのローラーを洗浄するものであり、ほぼ円形の内部空間、または、６以上の角を有する多角形の内部空間を囲む外縁を有し、前記外縁の最小内径は、前記ローラーを内側に圧縮した場合の前記ローラーの最小直径以上であり、且つ、前記ローラーを圧縮しない状態の前記ローラーの最大直径未満である。
（１２）ローラーバケのローラーを洗浄するものであり、円形の内部空間を囲む外縁を有し、前記外縁は、前記内部空間と前記外縁の外部空間とを結ぶ通路を備える。
（１３）塗料の塗布手段が備える塗料を浸透させるための浸透部材を洗浄するものであり、円形の内部空間を囲む外縁を有し、前記外縁の内径は、前記浸透部材を内側に圧縮した場合の前記浸透部材の最小直径以上であり、且つ、前記浸透部材を圧縮しない状態の前記浸透部材の最大直径未満である。
（１４）内部空間を囲む外縁を有する洗浄具の前記内部空間に、ローラバケのローラーを挿入することにより前記ローラーを洗浄する方法であり、前記外縁の内径は、前記ローラーを内側に圧縮した場合の前記ローラーの最小直径以上であり、且つ、前記ローラーを圧縮しない状態の前記ローラーの最大直径未満である。
【発明の効果】
【０００８】  本発明を利用すれば、ローラーを傷めることなく、且つ、一度の動作でローラーを洗浄することができる。
【図面の簡単な説明】
【０００９】
【図１】  洗浄具の上面・側面・側面断面を表した図である。
【図２】  ローラーの洗浄方法を表した図である。
【図３】  ローラーを洗浄具で洗浄している状態を表す図である。
【図４】  通路を備える洗浄具を表した図である。
【図５】  誘導部材を備える洗浄具を表した図である。
【図６】  可動部材により通路を作ることができる洗浄具を表した図である。
【図７】  ローラーバケおよびヘラを表した図である。
【図８】  ヘラでローラーを洗浄する方法を表した図である。
【発明を実施するための形態】
【実施例】
【００１０】  本発明の実施例を図に基づいて説明する。
図１（ａ）は本発明に係るローラー８３の洗浄具１の正面図であり、図１（ｂ）は洗浄具１の側面図であり、図１（ｃ）は側面断面図である。
洗浄具１は、リング２（外縁としてのリング２）とグリップ３とからなる。なお、リング２は塗料除去部材またはローラーを圧縮するための圧縮部材とも表現できる。
リング２は硬質の素材（鉄や樹脂等の素材）で形成され、円形の内部空間４を有する。リング２の内径（内部空間４の直径）は、ローラー８３の直径よりやや小さく形成されている（詳細は後述する）。
グリップ３は、硬質の素材（鉄や樹脂等の素材）で形成された棒状部材であり、リング２の側面に接続・固定されている。グリップ３の下面には、洗浄具１を地面においた際にリング２に砂やホコリが付着することを防止する置き台５が設けられている。【００１１】  次に、ローラー８３の洗浄方法について説明する。
図２はローラー８３の洗浄方法の概要を示した図である。
ローラー８３（浸透部材としてのローラー８３）には、ペンキ（塗料）が浸透している。これを除去するには、まずローラーバケ８１のローラー８３を垂直方向に立て、リング２の内部空間４内にローラー３の上端（一方端部）を挿入し、その後洗浄具１をローラー８３の下端方向（他方端方向／図２の矢印方向）に押し下げる。リング２の内径（内部空間４の直径）は、ローラー８３の直径よりやや小さく形成されているので、ローラー８３に浸透しているペンキは搾り取られ、ペンキは洗浄具１の進行方向（下方）或いはローラー８３の外側に排出され、これによりローラー８３のペンキはきれいに除去され、一度の動作でローラーバケ８１が洗浄される。【００１２】  図３は、リング２の内部空間４にローラー８３を挿入した状態の概要を表した断面図であり、下欄はそのＡ−Ａ断面図およびＢ−Ｂ断面図である。
この図に基づいて、リング２の大きさについて説明する。
図３の符号Ｌ１が示す長さは芯８５の直径である。
ローラー８３は伸縮可能な素材（スポンジや繊維糸の集合体など）で形成されているため、ローラー８３を内側方向（ローラー８３の中心方向／芯８５の方向）に圧縮すると、ローラー８３の直径は小さくなる。図３の符号Ｌ２は、ローラー８３を最大限圧縮し、ローラー８３の直径を最小限にした際の長さ（ローラー８３の最小直径の長さ）を示している。一方、図３の符号Ｌ３は、ローラー８３を全く圧縮しない状態の直径の長さ（ローラー８３の最大直径の長さ）を表している。
リング２の内径（内部空間４の直径）は、このＬ２より大きく、且つ、Ｌ３未満とする。Ｌ２より内部空間４の直径が小さいと内部空間４内にローラー８３を挿入することができないからであり、Ｌ３以上だとペンキを搾り取ることができずローラー８３からペンキを除去できないからである。【００１３】  次にリング２の太さ（リング２の内径から外径までの長さ／図３の符号Ｌ４の長さ）について説明する。
リング２の太さ（Ｌ４）は、ローラー８３を内部空間４に挿入した際に、リング２の外周（外側の辺）が、圧縮されていない状態のローラー８３の外周よりも外側に位置する程度に太くすることが好ましい。すなわち、図３のＬ３からＬ２を引いた長さの半分より長くする（太くする）このとが好ましい。リング２がこれより細いと、ローラー８３を内部空間４に挿入した際、リング２がローラー８３内に埋没してしまい、洗浄具１をローラー８３の上端から下端に移動させても、一旦搾り取られたペンキがリング２の外側を経由してローラー８３に戻ってしまう（逆流してしまう）ことにより、再度ペンキがローラー８３に付着することになる。これでは洗浄の効果が十分発揮できないからである。よって、リング２の太さは、逆流しようとするペンキをしっかりと下方（洗浄具１の進行方向）またはローラー８３の外側に跳ね返すことができる程度の太さ（返し部として機能する太さ）が必要である。すなわち、リング２の外周はローラー８３の最大直径より大きくすることが好ましい。このようにすれば、リング２がローラー８３に埋没せず、リング２の外周が確実にローラー８３の外周より外側に位置するので、逆流しようとするペンキを下方または外側に跳ね返すことができる。【００１４】  次に、洗浄具１の様々なバリエーションを説明する。
図１で示した洗浄具１のリング２は内部空間４が密閉されているので、ローラー８３の下端まで押し下げた洗浄具１をローラー８３の上端まで押し上げて（往復させて）、洗浄具１を抜き取らなければならず面倒であった。
そこで、図４（ａ）のようにリング２に内部空間４とリング２の外部空間とを繋ぐ通路６を設ける。なお、図４（ｄ）は図４（ａ）の右側面図である。この通路６は連結ワイヤー８６を通過させることが可能な大きさを有し（連結ワイヤー８６の幅より広い幅を有し）、連結ワイヤー８６を通して洗浄具１をリング２の外側に逃がすことが可能となっている。すなわち、この通路６を設けることにより、ローラー８３の下端まで押し下げた洗浄具１は上端まで押し上げることなく、連結ワイヤー８６を通路６を通して抜き取ることができる。
なお、図４（ａ）の洗浄具１は、通路６をグリップ３（リング２のグリップ３）から最も遠いリング２の先端部近傍に設けている。これにより後述する図４（ｂ）の場合より、グリップ３とリング２とを強固に連結できる。【００１５】  図４（ｂ）は、通路６をグリップ３（リング２のグリップ３）の近傍に設けたものである。図２ではローラーバケ８１のグリップ８４と洗浄具１のグリップ３とを遠く離して洗浄しているが、通常は両者を接近させて使用する。この場合、図４（ｂ）のように通路６をグリップ３近傍に設けたほうが洗浄具１を抜き取りやすくなる。【００１６】  図４（ｃ）のように、グリップ３の両端に２つの大きさの異なるリング２を設けてもよい。このようにすれば、１つの洗浄具１で異なる大きさのローラー８３を洗浄することができる。【００１７】  図４（ｅ）のように、洗浄具１の進行方向に対し通路６を斜めに形成すれば、より確実にローラー８３を洗浄できる。すなわち、図４（ｄ）の場合、通路６は洗浄具１の進行方向と平行して設けられているため、通路６の部分のペンキは搾り取ることができず、洗浄が不完全なものとなってしまう。よって、図３（ｅ）のように、洗浄具１の進行方向に対して通路６を斜めに形成すれば（リング２の上面の通路６の開口位置と、リング２の下面の通路６の開口位置とを異なる位置にすれば）、ローラー８３全体を覆うことができ、より確実にローラー８３のペンキを除去できるのである。【００１８】  図５（ａ）はローラー８３を内部空間４に誘導するための誘導部材１１を備えた洗浄具１の拡大側面図であり、図５（ｂ）は図５（ａ）の断面図である。
誘導部材１１は、側面が台形形状で誘導空間１２を有する漏斗状の部材である。
誘導部材１１は、内部空間４から遠い方の開口部（ローラー８３を迎え入れる方の開口部）が内部空間４より広く開口しており、内部空間４に近づくにつれて徐々に開口部が狭くなっている。このような誘導部材１１を設けることにより、より簡単・確実にローラー８３を内部空間４に誘導できる。また、この誘導部材１１はペンキの返し部としても機能する。すなわち、誘導部材１１が除去されたペンキを洗浄具１の進行方向（下方）またはローラー８３の外側に跳ね返すので、ペンキの逆流をより確実に防止する。【００１９】  図６は可動部材２１を備えた洗浄具１である。
可動部材２１は、リング２の一部を形成するリング片２２と、フック２３とからなる。フック２３をグリップ３の方向に回転移動させると、それに伴ってリング片２２も外側に回転移動する。これによりリング２とリング片２２との間に通路６が形成される。このようにすればリング２の強度を保ったまま通路６を設けることができる。【００２０】  上記実施例では、特定の例に基づいて本発明の内容を説明したが、本発明はこれに限るものではない。すなわち、本発明の趣旨に沿うものであれば、異なる形状・大きさ・素材であてもよい。
また、内部空間４は必ずしも円形（真円）でなくてもよい。すなわち、内部空間４をほぼ円形（例えば、楕円形等）や多角形（少なくとも６以上の角を有する多角形）にしてもよい。内部空間４を、ほぼ円形または多角形にすると、その内径の長さは複数存在することになるが、複数存在する内径の長さのうち最小のもの（最小内径）は、ローラー８３を内側に圧縮した場合のローラー８３の最小直径以上であり、且つ、ローラー８３を圧縮しない状態のローラー８３の最大直径未満であることが望ましい。
【符号の説明】
【００２１】１    洗浄具
２    リング
３    洗浄具のグリップ
４    内部空間
５    置き台
６    通路
１１  誘導部材
１２  誘導空間
２１  可動部材
２２  リング片
２３  フック
８１  ローラーバケ
８２  ローラーハンドル
８３  ローラー
８４  ローラーハンドルのグリップ
８５  芯
８６  連結ワイヤー
９１  ヘラ
９２  ヘラのグリップ
９３  板材
【図１】
2019076878.tif 000003
【図２】
2019076878.tif 000004
【図３】
2019076878.tif 000005
【図４】
2019076878.tif 000006
【図５】
2019076878.tif 000007
【図６】
2019076878.tif 000008
【図７】
2019076878.tif 000009
【図８】
2019076878.tif 000010